(57)【要約】【課題】  下水や産業排水等の水処理に使用される浸漬平膜ユニットに取付けられる配管構成を改善した浸漬平膜ユニット集水ブロックの提供。【解決手段】  箱型形状をなす平膜浸漬ユニット用集水ブロック１は、ブロック本体２及び上蓋３から構成されている。ブロック本体２の底板側には、二列の千鳥配置にされた受入れ穴５が穿設され、上蓋３を構成する上板側には、集合吸引口４が凸設されている。前記各受入れ穴５は、平膜浸漬ユニット１０の各吸引口１１に嵌合することによって取付けられるものであり、ブック本体２の底板側には、止水用のＯリング８を配置する凹溝７が構成されている。  このように構成された平膜浸漬ユニット用集水ブロック１は、各受入れ穴５が二列の千鳥配置に構成されたことから、吸引空間が広くなるので吸引機能を向上できる。また、止水用のＯリング８を凹溝７内に配置したことから、水漏れを防止でき、しかも同時取付けの際、組立て精度の誤差を吸収することから取付け作業の操作性も向上する。【選択図】図４
2009190015.tif 000002
【特許請求の範囲】
【請求項１】
吸引口を凸設した通水部材等からなる平膜エレメントが複数組並置されたときに、各吸引口が二列の千鳥配置に構成される浸漬平膜ユニットに対し、これらの各吸引口を介して取付けるようにした箱型形状の集水ブロックであって、
上板側には、筒状の集合吸引口が凸設され、底板側には、前記各吸引口にそれぞれ嵌合する複数個の受入れ穴が穿設されるとともに、各受入れ穴の凹溝内には、止水用のＯリングがそれぞれ配置されていることを特徴とする浸漬平膜ユニット用集水ブロック。
【請求項２】
前記凹溝内のＯリングは、それぞれ２個配置されていることを特徴とする請求項１に記載の浸漬平膜ユニット用集水ブロック。
【発明の詳細な説明】
【技術分野】
【０００１】  本発明は、下水や産業排水等の処理に使用される浸漬平膜ユニット用集水ブロックに関し、特に浸漬平膜ユニットに簡単に取付けることができ、しかも吸引機能及び止水機能を高め得る水処理の配管技術に関する。
【背景技術】
【０００２】  従来、この種の浸漬平膜ろ過装置では、処理槽内に被処理水が貯留され、この被処理水中には、吸引口を備えた浸漬平膜ユニットが浸漬されている。
そして、この浸漬平膜ユニットは、平膜エレメントを複数組並置することにより構成されるもので、通水部材の内部の通過によって処理された処理水は、吸引ポンプにより、前記吸引口から外部配管を介して系外に排出される。
ところで、前記吸引口については、平膜エレメントの側面部に吸引口が形成される場合（例えば、特許文献１参照）では、接続ホースを取付けるにあたって、各吸引口の間隔が狭ことから作業性が悪く、このため、配管構成の単純化が要望されている。
また、浸漬平膜ユニットの膜接合部材に吸引口が形成される場合（例えば、特許文献２参照）では、膜接合部材内に集水部分が形成される。このため、処理水の収容量が少なく、この結果、吸引効率も低いため、構造的な改善が要求されている。
【特許文献１】特開２００６−４３６３１号公報
【特許文献２】特許第３８１５６４５号公報
【発明の開示】
【発明が解決しようとする課題】
【０００３】  解決しようとする課題は、従来の浸漬平膜ユニットにおける集水管や集水部分による構成では、配管構成として作業性及び効率性が悪いことから、これらの改善が問題点になっている。つまり、浸漬平膜ユニットからの効率的な吸引機能を簡単に、しかも単純化構成で実現できる配管構成が要求されている。
このようなことから、本発明では、上述の点に鑑みなされたもので、これらの問題点を基本的に解消し得ることを目的とし、また吸引機能を向上し得ることを目的としている。
【課題を解決するための手段】
【０００４】  本発明に係る請求項１記載の浸漬平膜ユニット用集水ブロックは、吸引口を凸設した通水部材等からなる平膜エレメントが複数組並置されたときに、各吸引口が二列の千鳥配置に構成される浸漬平膜ユニットに対し、これらの各吸引口を介して取付けるようにした箱型形状の集水ブロックであって、上板側には、筒状の集合吸引口が凸設され、底板側には、前記各吸引口にそれぞれ嵌合する複数個の受入れ穴が穿設されるとともに、各受入れ穴の凹溝内には、止水用のＯリングがそれぞれ配置されていることを特徴とする。【０００５】  上記構成によれば、浸漬平膜ユニット用集水ブロックは、上板側に集合吸引口を凸設した箱型形状で、受入れ穴が二列の千鳥配置であることから、処理水の集合空間即ち、吸引容積を大きくとることができ、しかも一列配置に比べ取付け間隔に余裕ができるので、取付け時の相互干渉もなくなる。
また、浸漬平膜ユニット用集水ブロックは、その底板側の各受入れ穴を介して平膜ユニットの各吸引口に同時に取付けることから、その組立て作業を簡単な操作で行うことができる。
さらに、浸漬平膜ユニット用集水ブロックは、各受入れ穴の凹溝内に止水用のＯリングが配置されていることから、水漏れがなく安全かつ確実な排水処理を行うことができる。この場合、このＯリングは、取付けにあたって、組立て精度の誤差を吸収する機能も有する。【０００６】  請求項２記載の浸漬平膜ユニット用集水ブロックでは、前記凹溝内のＯリングは、それぞれ２個配置されていることを特徴とする請求項１に記載の浸漬平膜ユニット用集水ブロックである。
上記構成によれば、浸漬平膜ユニット用集水ブロックは、Ｏリングを２個にしたことから止水機能が高まるので、水漏れに対する安全性及び良好な作業環境を確保できる。これは、発明者等の同時取付けの作業性及び水漏れ等に関する各種の実験結果等に基づき知見したものである。
【発明の効果】
【０００７】  本発明に係る浸漬平膜ユニット用集水ブロックは、箱型形状の内部では、浸漬平膜ユニットの各吸引口から処理水が集水され、この処理水が吸引ポンプにより、集合吸引口から外部配管を介して系外に排出される。
この結果、浸漬平膜用集水ブロックを同時取付けの作業操作だけで、水処理配管を構成できるという利点を有する。
また、本発明に係る浸漬平膜ユニット用集水ブロックは、各吸引口の二列の千鳥配置によって、内部空間を広く確保することができるので、容量増加に伴う吸引機能を向上できるという利点を有する。
さらに、本発明に係る浸漬平膜ユニット用集水ブロックは、浸漬平膜ユニットに対する取付けにあたって、止水用のＯリングを適用しているため、止水機能が高められ、しかも組立て精度誤差も吸収できるという利点を有する。
【発明を実施するための最良の形態】
【０００８】  平膜ユニット用集水ブロックは、吸引口を凸設した通水部材等からなる平膜エレメントが複数組並置されたときに、各吸引口が二列の千鳥配置に構成される浸漬平膜ユニットに対して適用される。
また、平膜ユニット用集水ブロックは、これらの各吸引口を介して取付けるようにした箱型形状なしており、上板側には、筒状の集合吸引口が凸設され、底板側には、前記各吸引口にそれぞれ嵌合する複数個の受入れ穴が穿設されるとともに、各受入れ穴の凹溝内には、止水用のＯリングがそれぞれ配置されている。この場合、前記凹溝内のＯリングは、それぞれ２個配置されることが好適する。
【実施例１】
【０００９】  以下、本発明に係る浸漬平膜ユニット用集水ブロックについて、添付図面に基づいて詳細に説明する。図１は、本発明の第１実施形態に係る浸漬平膜ユニット用集水ブロックを示す概念的な正面図で、図２は、その平面図であって、図３は、受入れ穴の配置状態を概念的に示す底面図である。
第１実施形態の浸漬平膜ユニット用集水ブロック１は、箱型形状をなすもので、例えば合成樹脂製のブロック本体２及び上蓋３から構成されている。そして、この上蓋３を構成する上板側には、集合吸引口４が凸設され、ブロック本体２の底板側には、後述する平幕浸漬ユニット１０の各吸引口１１に嵌合する各受入れ穴５が穿設されている。
前記各受入れ穴５は、図３で示されるように、二列の千鳥配置を採用しているが、これは、一列配置よりも吸引空間が広く、しかも穴位置の間隔に余裕を持たせ、取付け操作性を良好にする配慮である。
また、各受入れ穴５は、ブロック本体２に形成される底板の内面側には、図４で示されるように、拡大穴部分５ａが連設され、しかも、図７で示される中蓋６を備えることによって凹溝７が構成される。この場合、図４は、図１に示される平膜浸漬ユニット用集水ブロックのＡ−Ａ線に沿って得られる概念的な断面図で、内部構成を説明するために示したものである。図７は、前記中蓋６を示した平面図で、前記受入れ穴５に適合する連通穴６ａが穿設されている。
そして、これらの各凹溝７内には、例えばエチレンゴム、シリコン、フッ素ゴム、クロロプレンゴム等からなる止水用のＯリング８が配置されている。
このＯリング８は、各吸引口１１の同時取付けにあたって、材質的には、柔らかすぎても、また硬すぎてもよくないし、組立て精度の誤差吸収の観点及び止水機能の観点から、適宜の弾発力が必要である。配置の個数については、取付け作業及び水処理実験等の結果から、発明者等は、通常の水処理では、１個でも差し支えないが、厳格な水処理が要求される場合には、２個が好適することを知見した。
図５（ａ）（ｂ）は、上蓋３の正面図及び底面図をそれぞれ示したものであり、上蓋３の上側には、集合吸引口４が凸設され、下側には、その形状周縁に沿って先細の突起部分３ａが形成されている。
また、図６（ａ）（ｂ）は、ブロック本体２の正面図及び平面図をそれぞれ示したものであり、前述した上蓋３の突起部分３ａは、ブロック本体２の形状周縁に沿って形成される傾斜穴部分２ａに挿入され一体化される。この場合、前記ブロック本体２は、図６（ａ）で示されるように、底板の内面側では、中央部分を凹ませているが、残りの円弧状をなす陸部分には、前記拡大穴部分５ａを備えた各受入れ穴５が穿設されるようになっている。これは、連通穴６ａを有する中蓋６との面接触を確実にして、水漏れを防ぐ配慮である。
さらに、このようにして構成された平膜浸漬ユニット用集水ブロック１は、各受入れ穴５からの水漏れを防ぐため、中蓋６は、凹溝７内にＯリング８が配置された後に、適宜の接着剤によってブロック本体２内部に固定される。
また、上蓋３についても、突起部分３ａがブロック本体２の傾斜穴部分２ａに挿入されるときに適宜の接着剤や固定部材（図示せず）を利用して固定される。【００１０】  ところで、平膜浸漬ユニット用集合ブロック１は、例えば、図８で示される１０組の平膜エレメント１２を並置した平膜浸漬ユニット１０に対して適用される。つまり、図示の平膜浸漬ユニット１０は、各吸引口１１が二列の千鳥配置に構成されるものであって、各吸引口１１は、同時に本発明の平膜浸漬ユニット用集水ブロック１の各受入れ穴５に嵌合して取付けられる。この場合、図示の平膜浸漬ユニット１０の枠部材１０ａには、吊下げに利用される突起部材１３及び取付け部材１４が形成されている。
なお、平膜エレメント１２は、通水部材等からなるもので、例えば、ろ過膜１５がスペーサーを介して通水材を覆っているものである。この場合、スペーサーは、不織布等の通気性のある材料によって形成され、ろ過膜１５と一体構造でもよい。また、通水材は、例えば、前述した特許文献１に開示されている断面が波状をした基材の両面に多孔板を添設したものや、特開２０００−３５４７４１号公報に開示されている袋状をなす多孔体としたものでもよい。
図９（ａ）（ｂ）は、平膜浸漬ユニット１０の各吸引口１１に対し、本発明の平膜浸漬ユニット用集水ブロックを取付けた状態を断面的に示した概念的な一部正面図及び一部平面図である。
なお、図９（ａ）では、平膜浸漬ユニット用集水ブロックの集合吸引口４には、接続ホース１６を接続したものが例示されている。【００１１】  図１０は、別の形態をなす平膜浸漬ユニット１０を例示する正面図であり、前述したものと同様な構成部品には、同一符号を付して説明を省略又は簡略化する。要すれば、図１０では、平膜浸漬ユニット１０を横置きに２個配置したものであり、ろ過膜１５の下方には、ろ過膜１５に沿ってそれぞれ散気管１７を配設し、前記集合吸引口４に取付けた接続ホース１５には、集合管１８などが接続されるようになっている。
また、図１１（ａ）（ｂ）は、他の平膜浸漬ユニット１０を例示する正面図及び平面図であり、前述のものと同様な構成部品には、同一符号を付して説明を省略又は簡略化する。つまり、図１１（ａ）（ｂ）に例示される平膜浸漬ユニット１０は、図１０に例示されるもの対して、吊下げに利用される突起部材１３の構成を一部変更したものが示されている。
なお、本発明に適用される平膜浸漬ユニット１０は、前記吸引口１１が二列の千鳥配置に構成されていれば、各部材の個数、形状、材質などは、特に限定されるものではない。
【実施例２】
【００１２】  次に、本発明に係る平膜浸漬ユニット用集水ブロック１の第２実施形態について説明するが、前述した第１実施形態と同様な部品には、同一符号を付して説明を省略又は簡略化する。
第２実施形態の平膜浸漬ユニット用集水ブロック１は、要すれば、第１実施形態と異なる点は、前述した受入れ穴５に構成される凹溝７の構成を変更したことにある。第２実施形態に係る図１２は、本発明に係る第２実施形態における平膜浸漬ユニット用集水ブロックの正面図であり、図１３は、図１２のＡ−Ａ線に沿って得られる断面図である。
第２実施形態に係る平膜浸漬ユニット用集水ブロック１について、図１２及び１３を参照して説明すれば、第１実施形態と同様に、ブロック本体２及び上蓋３からなっている。そして、前記凹溝７は、ブロック本体２の上げ底になっている底板の外面にあって、受入れ穴５の拡大部分５ａには、前記Ｏリング８が配置された後、連通穴９ａを有する外板９によって塞がれることにより構成される。なお、外板９については、図１５で平面図のみを例示した。
一方、第２実施形態では、前記ブロック本体２の底板は、上面側からみれば、受入れ穴５が図１４（ａ）で示され、底面側からみれば、第１実施形態の図６（ｂ）のように、中央部分２ｂを凹ませ、その陸部分に、拡大穴部分５ａを有する受入れ穴５が図１４（ｂ）で示されている。
前記上蓋３は、第１実施形態と略同一形状なので、簡略化のため図示を省略し、平膜浸漬ユニット用集水ブロック１についても、略同一に示されるため平面図及び底面図を省略している。
なお、本発明の平膜浸漬ユニット用集水ブロック１は、各部材の個数、形状、材質などは、特に限定されるものではない。
このような構成の平膜浸漬ユニット用集水ブロック１について、前述した平膜浸漬ユニット１０に取付けて水処理したが、第１実施形態のものと同様、取付け操作性もよく、吸引効率の向上が得られ、しかも安全かつ適正な水処理が可能であった。
【図面の簡単な説明】
【００１３】
【図１】  本発明の第１実施形態に係る平膜浸漬ユニット用集水ブロックを示す概念的な正面図である。
【図２】  前記平膜浸漬ユニット用集水ブロックを示す図１に対する平面図である。
【図３】  前記平膜浸漬ユニット用集水ブロックを示す図１に対する底面図である。
【図４】  前記平膜浸漬ユニット用集水ブロックを示す図１中のＡ−Ａ線に沿って得られる断面図である。
【図５】  上蓋を概念的に説明する図であり、図５（ａ）は、正面図、図５（ｂ）は、底面図である。
【図６】  ブロック本体を概念的に説明する図であり、図６（ａ）は、正面図、図６（ｂ）は、平面図である。
【図７】  中蓋を概念的に示す平面図である。
【図８】  平膜浸漬ユニットを概念的に示す斜視図である。
【図９】  平膜浸漬ユニットの各吸引口に対し、本発明に係る平膜浸漬ユニット用集水ブロックを取付けた状態を概念的に説明する図であり、図９（ａ）は、一部正面図、図９（ｂ）は、一部平面図である。
【図１０】  他の実施形態に係る平膜浸漬ユニットの各吸引口に対し、本発明に係る平膜浸漬ユニット用集水ブロックを取付けた状態を概念的に示す正面図である。
【図１１】  別の平膜浸漬ユニットを概念的に説明する図であり、図１１（ａ）は、正面図、図１１（ｂ）は、平面図である。
【図１２】  本発明の第２実施形態に係る平膜浸漬ユニット用集水ブロックを概念的に示す正面図である。
【図１３】  前記平膜浸漬ユニット用集水ブロックを示す図１２中のＡ−Ａ線に沿って得られる断面図である。
【図１４】  ブロック本体を概念的に説明する図であり、図１４（ａ）は、正面図、図１４（ｂ）は、平面図、図１４（ｃ）は、底面図である。
【図１５】  外板を示す概念的な平面図である。
【符号の説明】
【００１４】  １  平膜浸漬ユニット用集水ブロック
２  ブロック本体
３  上蓋
４  集合吸引口
５  受入れ穴
６  中蓋
７  凹溝
８  Ｏリング
９  外板
１０  平膜浸漬ユニット
１１  吸引口
１２  平膜エレメント
１５  ろ過膜
【図１】
2009190015.tif 000003
【図２】
2009190015.tif 000004
【図３】
2009190015.tif 000005
【図４】
2009190015.tif 000006
【図５】
2009190015.tif 000007
【図６】
2009190015.tif 000008
【図７】
2009190015.tif 000009
【図８】
2009190015.tif 000010
【図９】
2009190015.tif 000011
【図１０】
2009190015.tif 000012
【図１１】
2009190015.tif 000013
【図１２】
2009190015.tif 000014
【図１３】
2009190015.tif 000015
【図１４】
2009190015.tif 000016
【図１５】
2009190015.tif 000017